(57)【要約】【課題】コンタレックスに採用されているレンズをライカＭに装着することができ、且つ絞りを調整することができるマウントアダプタを提供する。【解決手段】カメラ本体に接合されるマウントアダプタ接合部１１０と、レンズに接合される交換レンズマウント部１２０と、絞り値が刻印され外周に位置し円周方向に可動である絞りリング１３１と、内周に位置し前記絞りリングと連動して円周方向に動く連動ピン１３２とを有し、マウントアダプタ接合部１１０はライカＭの規格に適合しており、交換レンズマウント部１２０はコンタレックスのレンズマウントの規格に適合しており、連動ピン１３２はレンズ接合面１２１ａに対する相対的な位置関係が、レンズをコンタレックスボディに装着した際のレンズの接合面に対するコンタレックスボディ側の絞りピンの相対的な位置関係と同等になるように調整されている。【選択図】図４
0003196096.tif 000002
【実用新案登録請求の範囲】
【請求項１】
カメラ本体とレンズとの間に装着されるマウントアダプタであって、
前記カメラ本体に採用されているレンズマウントに接合されるマウントアダプタ接合部と、
前記レンズに採用されているレンズ接合部が接合される交換レンズマウント部と、
絞り値が刻印され、外周に位置し、円周方向に可動である絞りリングと、
内周に位置し、前記絞りリングと連動して円周方向に動く連動ピンとを有しており、
前記マウントアダプタ接合部は、カメラ本体接合面を有する第１環状部を有し、ライカＭの規格に適合しており、
前記交換レンズマウント部は、レンズ接合面を有する第２環状部を有し、コンタレックスのレンズマウントの規格に適合しており、
前記連動ピンは、前記レンズ接合面に対する相対的な位置関係が、コンタレックスレンズをコンタレックスボディに装着した際の、前記コンタレックスレンズの接合面に対するコンタレックスボディ側の絞りピンの相対的な位置関係と同等になるように調整されていることを特徴とするマウントアダプタ。
【請求項２】
前記第１環状部の前記カメラ本体接合面と、前記第２環状部の前記レンズ接合面との距離は、１７．５ｍｍ以上、１９．０ｍｍ以下であることを特徴とする請求項１に記載のマウントアダプタ。
【請求項３】
前記マウントアダプタ接合部は、
カメラ本体が有するレンズマウント面に、前記第１環状部の前記カメラ本体接合面を当接させた状態で、カメラ本体が有するマウント爪に引っ掛けて、該マウントアダプタをカメラ本体に固定するカメラ側固定部材を有し、
前記交換レンズマウント部は、
前記第２環状部の前記レンズ接合面に、レンズを固定するレンズ側固定部材を有することを特徴とする請求項１又は２に記載のマウントアダプタ。
【考案の詳細な説明】
【技術分野】
【０００１】
本考案は、レンズマウントの規格が異なるカメラ本体と交換レンズとの間に取り付けて使用するマウントアダプタに関するものである。
【背景技術】
【０００２】
レンズマウントの規格が異なるカメラ本体と交換レンズとの間に取り付けて、レンズマウントの規格がカメラ本体とは異なる交換レンズを当該カメラ本体において使用できるようにするための機器をマウントアダプタという。マウントアダプタには、レンズマウントの規格の変更が行われた際に、規格変更前に販売した製品と規格変更後に販売した製品間に互換性を持たせるためのものや、お気に入りのカメラ本体にカメラ本体とは異なるメーカのレンズや旧式の名レンズ及び愛用のレンズを装着するためのものなどがある（例えば、特許文献１参照）。なお、マウントアダプタは一般に、交換レンズをカメラ本体に機械的に取り付ける機能を持つものを言い、自動絞り、絞り連動、露出計連動、及びオートフォーカスなどの機能を有効にするための動力、電力、及び信号などは伝達しないものが多い。
【０００３】
フランジバック［レンズマウントのマウント面（レンズ取り付け面）から結像面（フィルム面またはセンサー面）までの距離］が長い交換レンズを、フランジバックが短いカメラ本体に取り付ける場合には、マウントアダプタの長さをフランジバックの長さの差分に一致させることで、光学的な特性を一致させることができる。反対にフランジバックが短い交換レンズを、フランジバックが長いカメラ本体に取り付ける場合や、フランジバックの長さの差分が僅かしかない場合には、マウントアダプタの長さを可能な限り短くしたとしても光学的な特性を一致させることができないという問題が起こる。仮に、フランジバックが長い交換レンズを、フランジバックが短いカメラ本体に機械的に取り付けて使用すると、光学的に見て接写リングを用いた場合と同等になり無限遠にピントが合わなくなるので近距離撮影専用になる。マウントアダプタに補正用のレンズを内蔵することによりフランジバックの差分を吸収するという方法もあるが、写真の仕上がりに及ぼす影響が特に大きいと言われる最後玉が非純正レンズになってしまうため、あまりよい方法とは言えない。またこのような方法は、特に旧式の名レンズを使用するような場合には、せっかくのレンズの特性が変わってしまうことになるため望ましくない。
【０００４】
一方、ツァイス・イコン社から発売されていたコンタレックスのオールドレンズは、シュナイダー・クロイツナッハから提供されたＰＡ-クルタゴン３５ｍｍＦ４を除いてすべてカール・ツァイス製であり、独特の発色や素晴らしい描写力があると定評のあるレンズが多く存在する。そこで、コンタレックス用のオールドレンズを近年の汎用的な銀鉛カメラやデジタルカメラに装着して使用したいという要望がある。
【０００５】
２０１３年３月に、ライカＭ（Ｔｙｐ２４０）（登録商標）が新発売された。ライカＭはライカカメラ社最新のデジタルレンジファインダーカメラであり、３５ｍｍフルサイズＣＭＯＳセンサーを搭載しているため、自然で鮮やかな色再現性や細部に至る美しい描写力を実現している上、最新のデジタル技術がもたらす数々のメリットを備えている。例えばライカＭは、ライブビュー機能及びライブビューフォーカス機能を搭載しており、被写界深度、露出、色合いなどを、背面の液晶モニターに表示される像を見ながら調整して撮影することができる。また、別売のオプションを装備することにより、ファインダー内にレンズで捕らえた像を表示してライブビュー撮影を行うことも可能であり、ミラーレス一眼カメラと同様の感覚で撮影することもできる。またライカＭはレンジファインダーカメラなので、一眼レフカメラには必須であるミラーがないため、フランジバックが２７．８ｍｍと比較的短く、純正のライカＲマウントアダプタ「ライカＲアダプタＭ」を装着することにより、ライカ-Ｒレンズを使用することができる。
【先行技術文献】
【特許文献】
【０００６】
【特許文献１】特開２００９−０９２８６３号公報
【考案の概要】
【考案が解決しようとする課題】
【０００７】
コンタレックス用のオールドレンズは、専用のコンタレックスマウントを備え、絞りはボディ側にある絞りリングで操作する。そのため、コンタレックス用のオールドレンズをライカＭに装着して使用する場合には、レンズにもボディ側にも絞りリングがないので、マウントアダプタを用いてレンズをカメラ本体に取り付けただけでは絞りを調整することができず、何らかの工夫を施さなければならない。
【０００８】
本考案は以上のような課題を考慮してなされたものであり、コンタレックス用のレンズを、ライカＭに装着することができ、且つ絞りを調整することができるマウントアダプタを提供するものである。
【課題を解決するための手段】
【０００９】
本考案は、カメラ本体とレンズとの間に装着されるマウントアダプタであって、前記カメラ本体に採用されているレンズマウントに接合されるマウントアダプタ接合部と、前記レンズに採用されているレンズ接合部が接合される交換レンズマウント部と、絞り値が刻印され、外周に位置し、円周方向に可動である絞りリングと、内周に位置し、前記絞りリングと連動して円周方向に動く連動ピンとを有しており、前記マウントアダプタ接合部は、カメラ本体接合面を有する第１環状部を有し、ライカＭの規格に適合しており、前記交換レンズマウント部は、レンズ接合面を有する第２環状部を有し、コンタレックスのレンズマウントの規格に適合しており、前記連動ピンは、前記レンズ接合面に対する相対的な位置関係が、コンタレックスレンズをコンタレックスボディに装着した際の、前記コンタレックスレンズの接合面に対するコンタレックスボディ側の絞りピンの相対的な位置関係と同等になるように調整されていることを特徴とするマウントアダプタである。
【００１０】
本考案におけるライカＭとは、２０１３年３月に発売されたライカカメラ社最新のデジタルレンジファインダーカメラを意味する。
【００１１】
本考案におけるコンタレックスとは、西ドイツのツァイス・イコン社が開発した一眼レフカメラシリーズを意味し、例えば最終機はコンタレックス・スーパー・エレクトロニックである。
【００１２】
本考案のマウントアダプタにおいて、前記第１環状部の前記カメラ本体接合面と、前記第２環状部の前記レンズ接合面との距離は、１７．５ｍｍ以上、１９．０ｍｍ以下であることが好ましい。
【００１３】
本考案のマウントアダプタにおいて、前記マウントアダプタ接合部は、カメラ本体が有するレンズマウント面に、前記第１環状部の前記カメラ本体接合面を当接させた状態で、カメラ本体が有するマウント爪に引っ掛けて、該マウントアダプタをカメラ本体に固定するカメラ側固定部材を有し、前記交換レンズマウント部は、前記第２環状部の前記レンズ接合面に、レンズを固定するレンズ側固定部材を有することが好ましい。
【考案の効果】
【００１４】
本考案のマウントアダプタによれば、ライカＭに、コンタレックス用のレンズを装着することができる。よって、コンタレックス用の往年の優秀なレンズを、最新のデジタルレンジファインダーカメラであるライカＭ、及びライカＭと同様のレンズマウントを有する全てのカメラボディ（銀鉛カメラ及びデジタルカメラを含む）に装着して、マニュアル撮影によって使用することができ、マウントアダプタが有する絞りリングを円周方向に動かすことにより絞りを調整することができる。
【００１５】
さらに、本考案のマウントアダプタによれば、前記第１環状部の前記カメラ本体接合面と、前記第２環状部の前記レンズ接合面との距離を、１７．５ｍｍ以上、１９．０ｍｍ以下にすることにより、コンタレックス用のレンズをライカＭに装着して、無限遠にピントを合わせることができるので、コンタレックス用のレンズを最新のデジタルレンジファインダーカメラ上で無限遠から使うことができる。
【００１６】
また、本考案のマウントアダプタによれば、該マウントアダプタをカメラ本体に固定するカメラ側固定部材と、レンズを固定するレンズ側固定部材とを有することにより、カメラ本体とレンズとを機械的に固定することができる。
【図面の簡単な説明】
【００１７】
【図１】本考案に係るマウントアダプタの概要を示す図である。
【図２】本考案に係るマウントアダプタを、カメラ本体に取り付ける側から見た正面図である。
【図３】本考案に係るマウントアダプタを、交換レンズに取り付ける側から見た裏面図である。
【図４】本考案に係るマウントアダプタを、横側から見た側面図である。
【考案を実施するための形態】
【００１８】
以下、図面に示した実施の形態に基づいて本考案を詳細に説明する。
【００１９】
＜マウントアダプタ１００の概要＞
図１は、本考案に係るマウントアダプタ１００の概要を示す図である。なお図１には、説明のためにカメラ本体２００と交換レンズ３００とを記載している。
【００２０】
図１において、マウントアダプタ１００は、カメラ本体２００と交換レンズ３００との間に取り付けて、交換レンズ３００をカメラ本体２００において使用できるようにするための機器である。
【００２１】
＜カメラ本体２００の説明＞
カメラ本体２００は、近年の汎用的な銀鉛カメラやデジタルカメラであり、レンズマウントの規格がカメラ本体２００と一致する専用レンズを装着することができるレンズマウント（図示せず）を有している。
【００２２】
カメラ本体２００のレンズマウントは、専用レンズマウント面（図示せず）、及び専用マウント爪（図示せず）を有する。専用レンズマウント面は、結像面（図示せず）に対して平行な略環状の平面であって、結像面との距離が規格で定められた所定の値に確保されている。専用マウント爪は、専用レンズ固定用の突起である。ここで、マウントアダプタ１００のカメラ本体接合面はカメラ本体２００のレンズマウントの規格に適合しているので、第１環状部１１１（図２参照）のカメラ本体接合面が専用レンズマウント面に当接した状態で、専用マウント爪に引っ掛けられることにより、マウントアダプタ１００はカメラ本体２００のレンズマウントに装着される。
【００２３】
ここで、カメラ本体２００には、ライカＭ、及びライカＭと同様のレンズマウントを有する全てのカメラボディ（銀鉛カメラ及びデジタルカメラを含む）を使用することができ、特にライカＭ（Ｔｙｐ２４０）を使用することが望ましい。カメラ本体２００にライカＭ（Ｔｙｐ２４０）を使用することにより、距離計連動を気にすることなく、ライブビューフォーカス機能を用いて、様々なオールドレンズを誰でも簡単に楽しむことができる。
【００２４】
ライカＭのカメラボディに採用されているライカＭマウントは、レンジファインダーカメラであるライカＭ用のマウントであって、フランジバックが２７．８ｍｍと比較的短い。なおフランジバックが比較的短い点は、オールドレンズ用のマウントアダプタを設計する上で大変に有用な特徴である。
【００２５】
＜交換レンズ３００の説明＞
交換レンズ３００は、カメラ本体２００とレンズマウントの規格が異なる非専用レンズであり、レンズマウントの規格が交換レンズ３００と一致するレンズマウントに接合することができるレンズ接合部を有している。ここで、マウントアダプタ１００のレンズ接合面は交換レンズ３００のレンズマウントの規格に適合しているので、マウントアダプタ１００のレンズ接合面に交換レンズ３００のレンズ接合部を固定することにより、マウントアダプタ１００に交換レンズ３００が接合される。
【００２６】
ここで交換レンズ３００には、コンタレックスの純正レンズを使用することができ、例えばコンタレックス用プラナー５０ｍｍＦ２を使用することができる。コンタレックスに採用されているレンズマウントは、バヨネットＢ５６と口径４９ｍｍねじ込みの併設である。
【００２７】
＜マウントアダプタ１００の詳細な説明＞
図２は、本考案に係るマウントアダプタ１００を、カメラ本体２００に取り付ける側から見た正面図である。
【００２８】
図２に示すように、マウントアダプタ１００は、カメラ本体２００に採用されているレンズマウントに接合されるマウントアダプタ接合部１１０を有している。ここでマウントアダプタ接合部１１０は、ライカＭの規格に適合しており、ライカＭマウントを採用するカメラ本体２００に接合される。
【００２９】
マウントアダプタ接合部１１０は、第１環状部１１１、及びカメラ側固定部材１１２を有する。第１環状部１１１は、カメラ本体接合面１１１ａ、回転規制穴１１１ｂ、及びアダプタ取付指標１１１ｃを有する。
【００３０】
カメラ本体接合面１１１ａは、カメラ本体２００の専用レンズマウント面に当接する略環状の平面であって、専用レンズマウント面を基準にしてカメラ本体２００に対するマウントアダプタ１００の相対的な位置を確保するためのものである。ここでカメラ本体接合面１１１ａは、マウントアダプタ１００をカメラ本体２００に取り付けた際に、レンズマウントにおける専用レンズマウント面にほぼ隙間無く当接する。従ってマウントアダプタ１００をカメラ本体２００に取り付けた際には、カメラ本体接合面１１１ａの位置と専用レンズマウント面の位置はほぼ同じになると考えてよい。
【００３１】
回転規制穴１１１ｂは、マウントアダプタ１００がカメラ本体２００から容易に外れないように、マウントアダプタ１００とカメラ本体２００との相対的な回転位置をロックするための穴である。
【００３２】
アダプタ取付指標１１１ｃは、マウントアダプタ１００をカメラ本体２００に装着する際に、マウントアダプタ１００とカメラ本体２００との相対的な位置を合わせるために用いるマークである。
【００３３】
カメラ側固定部材１１２は、カメラ本体２００の専用レンズマウント面にカメラ本体接合面１１１ａを当接させた状態で、カメラ本体２００のマウント爪に引っ掛けて、マウントアダプタ１００をカメラ本体２００に固定する。例えば、アダプタ取付指標１１１ｃを用いて、所定の相対的位置においてカメラ本体接合面１１１ａをカメラ本体２００の専用レンズマウント面に当接させた状態から、マウントアダプタ１００とカメラ本体２００とを相対的に回転させる。すると、カメラ本体２００のマウント爪とカメラ側固定部材１１２とが嵌合して、マウントアダプタ１００がカメラ本体２００に固定される。
【００３４】
図３は、本考案に係るマウントアダプタ１００を、交換レンズ３００に取り付ける側から見た裏面図である。
【００３５】
図３に示すように、マウントアダプタ１００は、交換レンズ３００に採用されているレンズ接合部（図示せず）が接合される交換レンズマウント部１２０を有している。ここで交換レンズマウント部１２０は、コンタレックスのレンズマウントの規格に適合しており、交換レンズマウント部１２０にはコンタレックスに採用されているレンズマウントの交換レンズ３００が接合される。
【００３６】
交換レンズマウント部１２０は、第２環状部１２１、及びレンズ側固定部材１２２を有する。第２環状部１２１は、レンズ接合面１２１ａ、回転規制金具１２１ｂ及びレンズ取付指標１２１ｃを有する。
【００３７】
レンズ接合面１２１ａは、カメラ本体接合面１１１ａに対して平行な略環状の平面であって、レンズ接合面１２１ａを基準にして、マウントアダプタ１００に対する交換レンズ３００の相対的な位置を確保するためのものである。
【００３８】
回転規制金具１２１ｂは、交換レンズ３００がマウントアダプタ１００から容易に外れないように、マウントアダプタ１００と交換レンズ３００との相対的な回転位置をロックするための穴である。
【００３９】
レンズ取付指標１２１ｃは、交換レンズ３００をマウントアダプタ１００に装着する際に、交換レンズ３００とマウントアダプタ１００との相対的な位置を合わせるために用いるマークである。
【００４０】
レンズ側固定部材１２２は、レンズ接合面１２１ａを基準にして、マウントアダプタ１００に交換レンズ３００のレンズ接合部を固定する。
【００４１】
図４は、本考案に係るマウントアダプタ１００を、横側から見た側面図である。
【００４２】
図４に示すように、マウントアダプタ１００は、さらに、交換レンズ３００に内蔵された絞りを調整することを可能にする絞り調整部１３０を有している。
【００４３】
絞り調整部１３０は、絞りリング１３１と連動ピン１３２とを有する。
【００４４】
絞りリング１３１は、カメラ本体接合面１１１ａとレンズ接合面１２１ａとに垂直な円筒部分の外周に位置し、絞り値が刻印されており、該円筒部分の円周方向に可動である。なお、絞りリング１３１は、絞り指標（図４中のＤ）や滑り止め（図４中のＥ）を有することが好ましい。
【００４５】
連動ピン１３２は、上記円筒部分の内周に位置し、絞りリング１３１と連動して円周方向に動く。
【００４６】
さらに連動ピン１３２は、レンズ接合面１２１ａに対する相対的な位置関係が、交換レンズ３００をコンタレックスボディに装着した際の、交換レンズ３００の接合面に対するコンタレックスボディ側の絞りピンの相対的な位置関係と同等になるように調整されている。詳しくは、連動ピン１３２は、絞り開放時の位置（図３中の位置Ａ）から、絞りきった時の位置（図３中の位置Ｂ）まで、円周方向に沿って連続的に動くことができる（図３中の可動範囲Ｃ）。
【００４７】
さらに、マウントアダプタ１００を介して交換レンズ３００をカメラ本体２００に取り付けた際に無限遠にピントが合うように、交換レンズマウント部１２０におけるレンズ接合面１２１ａを含む平面と結像面との距離を設計することが望ましい。例えば図４に示すように、ライカＭマウントのフランジバックを２７．８ｍｍ、コンタレックスに採用されているレンズマウントの規格のフランジバックを４６．０ｍｍとすると、理論的にはレンズ接合面１２１ａを含む平面はカメラ本体接合面１１１ａを含む平面よりも略１８．２ｍｍ（４６．０ｍｍ−２７．８ｍｍ＝１８．２ｍｍ）結像面より遠くなるようにすればよい。なお被写界深度による許容ボケ等を考慮すれば、上記理論的な値よりも幾分異なる値を用いてもよい。例えばカメラ本体接合面１１１ａとレンズ接合面１２１ａとの距離が１７．５ｍｍ以上、１９．０ｍｍ以下程度であれば、無限遠にピントを合わすことが可能である。
【００４８】
以上のように、本考案のマウントアダプタ１００を用いれば、ライカＭマウントを採用する近年の汎用的なカメラ本体に、コンタレックスに採用されているレンズマウントの規格の交換レンズを装着して使用することができ、さらに、無限遠にピントを合わすことが可能である。
【符号の説明】
【００４９】
１００    マウントアダプタ
１１０    マウントアダプタ接合部
１１１    第１環状部
１１１ａ  カメラ本体接合面
１１１ｂ  回転規制穴
１１１ｃ  アダプタ取付指標
１１２    カメラ側固定部材
１２０    交換レンズマウント部
１２１    第２環状部
１２１ａ  レンズ接合面
１２１ｂ  回転規制金具
１２１ｃ  レンズ取付指標
１２２    レンズ側固定部材
１３０    絞り調整部
１３１    絞りリング
１３２    連動ピン
２００    カメラ本体
３００    交換レンズ
【図１】
0003196096.tif 000003
【図２】
0003196096.tif 000004
【図３】
0003196096.tif 000005
【図４】
0003196096.tif 000006